(57)【特許請求の範囲】
【請求項１】
画像形成装置に用いられる再生消耗品の情報が格納された再生消耗品情報記憶手段と、前記画像形成装置に用いられている消耗品の情報と前記再生消耗品情報記憶手段に格納されている再生消耗品の情報とを照合して前記消耗品が再生消耗品であるか否かを判断する消耗品判定手段と、前記消耗品判定手段により前記消耗品が再生消耗品ではないと判定された場合には前記画像形成装置に再生消耗品に関する情報を送信する送信手段とを備えるデータ管理サーバとネットワーク回線を介して接続され、画像形成装置の動作を制御する制御手段と表示手段とを備えて電子写真方式によりトナーを用いて画像を形成する画像形成装置であって、
前記画像形成装置に用いられる消耗品に備えられた記憶手段または記録手段に格納されている消耗品の情報を検出する検出手段を備え、
前記制御手段は、前記データ管理サーバから送信された前記再生消耗品に関する情報を受信したとき、前記表示手段に受信されたことを示す表示を行い、
前記表示手段は、前記消耗品判定手段により前記消耗品が再生消耗品ではないと判定された場合に、前記データ管理サーバより通知される前記再生消耗品を使用することを推奨するメッセージを表示することを特徴とする画像形成装置。
【請求項２】
前記表示手段には、情報を受信したことを知らせる第１操作キーと、受信した情報の表示を指示する第２操作キーとが表示され、
前記制御手段は、前記再生消耗品の情報を受信したとき、前記第１操作キーを点滅させ、前記第２操作キーをユーザが選択することにより、前記第１操作キーが表示される表示画面からメッセージ表示画面へと遷移させる制御を行うことを特徴とする請求項１に記載の画像形成装置。
【請求項３】
前記制御手段は、前記送信手段からのメッセージを受信したとき、前記画像形成装置の稼働状況に応じて、前記メッセージを表示させる制御を行うことを特徴する請求項１または２に記載の画像形成装置。
【請求項４】
前記稼働状況は、前記画像形成装置が、ウォームアップ中ではない場合、印刷ＪＯＢを実行中ではない場合、操作パネルに入力信号がない場合、また、スキャナからの原稿載置信号がない場合、のうちの何れかの状況であることを特徴とする請求項３に記載の画像形成装置。
【発明の詳細な説明】
【技術分野】
【０００１】
本発明は、画像形成装置に係り、特に、ネットワーク回線を介してデータ管理サーバに接続される画像形成装置に関する。
【背景技術】
【０００２】
近年、複写機、ファクシミリ、プリンタ等の画像形成装置において、地球環境への配慮から、画像形成装置に用いられる消耗品や交換部品などにおいても、地球環境への負荷を低減した再生品を使用することが促進されている。
また、ＣＯ２排出量低減の為、ユーザに対して改善を推奨することも行なわれている。
【０００３】
従来技術として、例えば、印刷装置に着脱自在な消耗品ユニットとして、温室効果ガス排出権が付与されて販売される消耗品ユニットを使用し、これらの消耗品ユニットの継続使用状態によって温室効果ガスの削減に対する評価を行い、オペレーションパネル等に評価結果を表示し、用紙にその評価結果を印刷するようにしたものが提案されている（特許文献１を参照。）。
これにより、ユーザは温室効果ガスの削減に対する評価を確認できるので、温室効果ガス削減への認識を高めることができる。
【０００４】
また、例えば、ユーザにより設定された印刷モードと比べてＣＯ２排出量が少ない推奨モードを提示するようにした画像形成装置が提案されている（特許文献２を参照。）。
これにより、画像形成装置の使用による電力消費をＣＯ２排出量に換算し、これに消耗品を消費することによるＣＯ２排出量を加えて、総ＣＯ２排出量を求めるので、ＣＯ２排出実態の把握が容易で、ユーザがどのように装置を使用すればＣＯ２排出量を低減することができるかの推奨モードを提示することができ、また、改善予測を行うことができる。
【先行技術文献】
【特許文献】
【０００５】
【特許文献１】特開２０１０−２４４２号公報
【特許文献２】特開２００２−６６９６号公報
【発明の概要】
【発明が解決しようとする課題】
【０００６】
しかしながら、上述した特許文献１の印刷装置によれば、ユーザの温室効果ガス削減への認識を高めることができるものの、温室効果ガス排出量を削減できる再生消耗品の使用をユーザに喚起できず、画像形成装置メーカーや消耗品メーカーの温室効果ガス削減目標達成に寄与することはできないという問題がある。
【０００７】
また、特許文献２の画像形成装置によれば、提示された推奨モードを選択すると、管理者以外のユーザは推奨モードに限定された印刷モードしか使用できず、推奨モードに限定された印刷モードを解除できるのは管理者に限定されていることから、例えば、管理者が出張や研修などで不在になると解除できる者が居なくなり、推奨モード以外で印刷したいユーザにとっては画像形成装置の利便性が低下してしまうという問題がある。
【０００８】
本発明は、上記従来の問題点に鑑みてなされたものであって、画像形成装置メーカーや消耗品メーカーの温室効果ガス削減目標達成に寄与することができ、ユーザにとっても消耗品の対環境性能の情報を提供して、あらゆるユーザにも画像形成装置の利便性を損なうことなく、よりいっそう地球環境に優しい画像形成装置を提供することを目的とする。
【課題を解決するための手段】
【０００９】
上述した課題を解決するための本発明に係る画像形成装置は、次の通りである。
【００１０】
本発明は、画像形成装置に用いられる再生消耗品の情報が格納された再生消耗品情報記憶手段と、前記画像形成装置に用いられている消耗品の情報と前記再生消耗品情報記憶手段に格納されている再生消耗品の情報（データ）とを照合して前記消耗品が再生消耗品であるか否かを判断する消耗品判定手段と、前記消耗品判定手段により前記消耗品が再生消耗品ではないと判定された場合は、前記画像形成装置に再生消耗品に関する情報を送信する送信手段とを備えるデータ管理サーバとネットワーク回線を介して接続され、画像形成装置の動作を制御する制御手段と表示手段とを備えて電子写真方式によりトナーを用いて画像を形成する画像形成装置であって、前記画像形成装置に用いられる消耗品に備えられた記憶手段または記録手段に格納されている消耗品の情報を検出する検出手段を備え、前記制御手段は、前記データ管理サーバから送信された前記再生消耗品に関する情報を受信したとき、前記表示手段に受信されたことを示す表示を行い、前記表示手段は、前記消耗品判定手段により前記消耗品が再生消耗品ではないと判定された場合に、前記データ管理サーバより通知される前記再生消耗品を使用することを推奨するメッセージを表示することを特徴とするものである。
【００１１】
また、本発明は、前記表示手段には、情報を受信したことを知らせる第１操作キーと、受信した情報の表示を指示する第２操作キーとを表示して、前記制御手段の機能として、前記再生消耗品の情報を受信したとき、前記第１操作キー（例えば、アイコン）を点滅させ、前記第２操作キー（例えば、アイコン）をユーザが選択することにより、前記第１操作キーが表示される表示画面からメッセージ表示画面へと遷移させる制御を行うことが好ましい。
【００１２】
また、本発明は、前記制御手段の機能として、前記送信手段（メッセージ通知手段）からのメッセージを受信したとき、前記画像形成装置の稼働状況に応じて、前記メッセージを表示させる制御を行うことが好ましい。
【００１３】
また、本発明は、前記稼働状況が、前記画像形成装置が、ウォームアップ中ではない場合、印刷ＪＯＢを実行中ではない場合、操作パネルに入力信号がない場合、また、スキャナからの原稿載置信号がない場合、のうちの何れかの状況であることが好ましい。
【発明の効果】
【００１４】
本発明の画像形成装置によれば、前記画像形成装置に用いられる再生消耗品の情報が格納された再生消耗品情報記憶手段と、前記画像形成装置に用いられている消耗品の情報と前記再生消耗品情報記憶手段に格納されている再生消耗品の情報（データ）とを照合して前記消耗品が再生消耗品であるか否かを判断する消耗品判定手段と、前記消耗品判定手段により前記消耗品が再生消耗品ではないと判定された場合は前記画像形成装置に再生消耗品に関する情報を送信する送信手段とを備えるデータ管理サーバとネットワーク回線を介して接続され、画像形成装置の動作を制御する制御手段と表示手段とを備えて電子写真方式によりトナーを用いて画像を形成する画像形成装置であって、前記画像形成装置に用いられる消耗品に備えられた記憶手段または記録手段に格納されている消耗品の情報を検出する検出手段を備え、前記制御手段は、前記データ管理サーバから送信された前記再生消耗品に関する情報を受信したとき、前記表示手段に受信されたことを示す表示を行い、前記表示手段は、前記消耗品判定手段により前記消耗品が再生消耗品ではないと判定された場合に、前記データ管理サーバより通知される前記再生消耗品を使用することを推奨するメッセージを表示することで、再生消耗品の販売を促進して、消耗品のライフサイクルにおける温室効果ガス発生量を削減でき、削減した温室効果ガス量を画像形成装置メーカーまたは消耗品メーカーが温室効果ガス削減枠に充当して温室効果ガス削減目標に近づけることができる。また、ユーザに対して温室効果ガス発生量の少ない再生消耗品の使用を推奨することで、対環境意識の向上を喚起できる。さらには、純正再生消耗品の使用を促進できるので、正規の販売ルートで販売されない非純正消耗品の使用による画像形成装置の故障を抑制できる。
【図面の簡単な説明】
【００１５】
【図１】本発明の実施形態に係る画像形成装置の全体の構成を示す説明図である。
【図２】前記画像形成装置の構成を示すブロック図である。
【図３】前記画像形成装置の再生消耗品使用推奨システムを構成する通信ネットワークの一例を示す説明図である。
【図４】前記画像形成装置の再生消耗品使用推奨システムを構成する操作パネルの構成を示す説明図である。
【図５】前記操作パネルを構成する表示部に表示されたＤＯＣＵＭＥＮＴ  ＦＩＬＩＮＧ  モードの初期画面を示す説明図である。
【図６】前記表示部に表示された販売店から通知された再生消耗品の使用推奨メッセージのプレビュー表示の一例を示す説明図である。
【図７】前記表示部に表示されたＩＭＡＧＥ  ＳＥＮＤ  モードの初期画面を示す説明図である。
【図８】前記画像形成装置の再生消耗品使用推奨システムにより再生消耗品を使用することを推奨する手順を示すフローチャートである。
【図９】本発明の再生消耗品使用推奨システムに係る実施形態の変形例１の画像形成装置の表示部に表示された再生消耗品の使用推奨メッセージのプレビュー表示の一例を示す説明図である。
【図１０】本発明の再生消耗品使用推奨システムに係る実施形態の変形例２の構成を示す説明図である。
【発明を実施するための形態】
【００１６】
以下、本発明を実施するための形態について図面を参照して説明する。
図１は発明を実施する形態の一例であって、本発明の実施形態に係る画像形成装置の全体の構成を示す説明図である。
【００１７】
本実施形態は、図１に示すように購入またはリースされている画像形成装置であってデータ管理サーバに接続されて電子写真方式によりトナーを用いて画像を形成する画像形成装置１に用いられる消耗品として再生消耗品の使用を推奨する再生消耗品使用推奨システムとして、本発明に係る特徴的な再生消耗品使用推奨システムの構成を採用したものである。
【００１８】
まず、画像形成装置１の全体構成について説明する。
画像形成装置１は、外部から伝達される画像データに応じて所定のシート（記録用紙，記録媒体）に画像を形成するものである。画像形成装置１は、図１に示すように、主に、本体装置である電子写真プロセス部（図示省略）を備えた画像形成部３と、操作パネル１００とスキャナユニット（図示省略）を備えた画像読取部２とを備えて構成されている。
【００１９】
原稿画像をスキャナユニットで読み取ることにより得られた画像データは、各種処理が施された後、メモリに一旦記憶され、出力指示に応じてメモリから画像データを画像形成部３に出力して、感光体ドラム（図示省略）上に可視画像として再現した後、用紙上に画像を転写してトナー像を形成する。
【００２０】
画像形成部３に隣接して用紙を供給する給紙部４が構成されている。
給紙部４は、第１〜３カセット３１，３２，３３、さらにオプションとして大容量カセット３４を有している。大容量カセット３４は、最も使用頻度の高い、例えばＡ４サイズの標準紙を大量に収容することができる。
【００２１】
画像読取部２と画像形成部３の間には排紙トレイ５１が形成されている。
画像形成部３に隣接して後処理装置５が構成されている。
後処理装置５には、第１排紙卜レイ５２，第２排紙トレイ５３が設けられている。
【００２２】
そして、画像形成装置１は、図示しないネットワーク回線（ＬＡＮ、電話回線等）を介してＰＣ、ＦＡＸ、及びメーカー、販売先またはリース先等のデータ管理サーバに接続されている。
【００２３】
ここで、画像形成装置１の構成についてブロック図を参照して説明する。
図２は本実施形態の画像形成装置の構成を示すブロック図である。
【００２４】
画像形成装置１は、図２に示すように、電気的構成として、画像形成装置１の動作を制御する制御部５０１、記憶部５０２、演算部５０３、表示部１０１、入力部５０５、ネットワーク回線を介してＰＣ等とＬＡＮ接続等を行う通信部５０６、画像処理を行う画像処理部５０８、画像形成を行う画像形成部５０９、トナー像の定着処理を行う定着部５１０、スキャナにおいて画像の読み取りを行う読取部５０７、後処理装置５（図２の周辺機器を指す）の動作を制御する制御部５１１などを備えている。
【００２５】
なお、本実施形態では、画像形成装置１に用いられる消耗品には、記憶手段または記録手段として、ＩＣチップ（無線ＩＣタグや接点式ＣＲＵＭ）、バーコード、ＱＲコード（登録商標）等が備えられている。
【００２６】
そして、画像形成装置１は、この消耗品の記憶手段または記録手段に格納された情報を検出する検出部（検出手段）５０９ａを備えている。
検出部５０９ａは、ユーザが画像形成装置１で使用している消耗品の情報（再生消耗品であるか否か）を検出する。
【００２７】
制御部５０１は、検出部５０９ａにより検出された検出結果をデータ管理サーバ７０１に通知する機能（検出結果通知手段）を備えている。
【００２８】
本実施形態では、制御部５０１は、データ管理サーバ７０１において、検出部５０９ａにより検出された消耗品が再生消耗品ではないと判断された場合に、データ管理サーバ７０１より通知される再生消耗品を使用することを推奨する再生消耗品の使用推奨メッセージを表示部１０１に表示するとともに、画像形成装置１をＲｅａｄｙ状態に起動するようにされている。
【００２９】
次に、本実施形態の画像形成装置１に用いられる特徴的な再生消耗品使用推奨システムについて図面を参照して説明する。
図３は本実施形態の画像形成装置の再生消耗品使用推奨システムを構成する通信ネットワークの一例を示す説明図、図４は本実施形態に係る画像形成装置の再生消耗品使用推奨システムを構成する操作パネルの構成を示す説明図、図５は前記操作パネルを構成する表示部に表示されたＤＯＣＵＭＥＮＴ  ＦＩＬＩＮＧ  モードの初期画面を示す説明図、図６は前記表示部に表示された販売店から通知された再生消耗品の使用推奨メッセージのプレビュー表示を示す説明図、図７は前記表示部に表示されたＩＭＡＧＥ  ＳＥＮＤ  モードの初期画面を示す説明図である。
【００３０】
本実施形態に係る画像形成装置１の再生消耗品使用推奨システムは、図３に示すように、画像形成装置１に用いられる温室効果ガス排出権が付与された消耗品として再生消耗品の使用を推奨する再生消耗品使用推奨システムであって、通信部５０６によりＬＡＮ（ローカルエリアネットワーク）７００を介して画像形成装置１がメーカー、販売先またはリース先等のデータ管理サーバ７０１に接続されて、データ管理サーバ７０１を管理する事業者からユーザに対して再生消耗品の使用を推奨する再生消耗品の使用推奨メッセージを通知することを特徴とするものである。
【００３１】
この再生消耗品使用推奨システムは、画像形成装置１と消耗品の販売先のデータ管理サーバ７０１とが通信接続としてＬＡＮ（ローカルエリアネットワーク（通信手段））７００を介して接続され、販売先により画像形成装置１の消耗品の使用状況が監視可能に構成され、画像形成装置１側に、画像形成装置１に用いられる消耗品に備えられた記憶手段または記録手段に格納されている情報を検出する機能（検出手段）と、その検出結果をデータ管理サーバ７０１に通知する機能（検出結果通知手段）とを備え、データ管理サーバ７０１側に、画像形成装置１に用いられる再生消耗品の情報を格納する機能（再生消耗品情報記憶手段）と、前記検出結果とデータ管理サーバ７０１側に格納されている再生消耗品の情報とを照合して前記消耗品が再生消耗品であるか否かを判断する機能（消耗品判定手段）と、前記消耗品が再生消耗品ではないと判定された場合は、前記画像形成装置に再生消耗品を使用することを推奨する再生消耗品の使用推奨メッセージを通知する機能（メッセージ通知手段）とを備えている。
【００３２】
本実施形態では、画像形成装置１は、画像形成装置１に用いられる消耗品に備えられた記憶手段または記録手段に格納されている情報を検出する検出部５０９ａを備えるとともに、制御部５０１が、検出部５０９ａによる検出結果をデータ管理サーバ７０１に通知する検出結果通知手段として機能するように構成されている。
【００３３】
また、データ管理サーバ７０１が、画像形成装置１に用いられる再生消耗品の情報を格納する再生消耗品情報記憶手段として機能し、画像形成装置１から通知された検出部５０９ａによる検出結果とデータ管理サーバ７０１側に格納されている再生消耗品の情報とを照合して前記消耗品が再生消耗品であるか否かを判断する消耗品判定手段として機能するとともに、前記消耗品が再生消耗品ではないと判定された場合に、画像形成装置１に対して再生消耗品を使用することを推奨する再生消耗品の使用推奨メッセージを通知するメッセージ通知手段として機能するように構成されている。
【００３４】
また、本実施形態では、操作パネル１００の表示部１０１が、再生消耗品使用推奨システムの表示部として機能するように構成されている。
【００３５】
操作パネル１００は、図４に示すように、操作面（入力部）１００ａが略平面状に構成されて、その略中央部に表示部１０１が構成されている。
なお、表示部１０１は、操作面（入力部）１００ａと同一平面でなくとも、操作面（入力部）１００ａに対して開閉移動式であってもよいし、操作面（入力部）１００ａとは別に設けてもよい。また、それらを組み合わせてもよい。
【００３６】
また、表示部１０１は、タッチパネルまたは操作キーを略一体的に備え、表示部１０１でタッチパネルまたは操作キーを操作することで再生消耗品の使用推奨メッセージを表示するように構成されている。
【００３７】
表示部１０１には、図５，図７に示すように、画像形成装置１による処理モードを選択する操作キー１１０が表示されている。操作キー１１０には、ＤＯＣＵＭＥＮＴ  ＦＩＬＩＮＧ  モード用のアイコン１１１ａ、ＩＭＡＧＥ  ＳＥＮＤ  モード用のアイコン１１１ｂ、ＣＯＰＹ  モード用のアイコン１１１ｃが設けられている。そして、操作キー１１０により、ＣＯＰＹ  モード、ＩＭＡＧＥ  ＳＥＮＤ  モード、ＤＯＣＵＭＥＮＴ  ＦＩＬＩＮＧ  モードが選択可能になっている。
【００３８】
表示部１０１は、画像形成装置１の電源をＯＮにすると、図示しない初期画面が表示され、操作キー１１０のうちのＤＯＣＵＭＥＮＴ  ＦＩＬＩＮＧ  モード用のアイコン１１１ａが選択されると、図５に示すように、ＤＯＣＵＭＥＮＴ  ＦＩＬＩＮＧ  モードの初期画面１１０ａが表示される。
【００３９】
ＤＯＣＵＭＥＮＴ  ＦＩＬＩＮＧ  モードの初期画面１１０ａの画面左下には、操作キーとしてのプレビュー確認用アイコン１２０ａが表示される。プレビュー確認用アイコン１２０ａをタッチすると、画像形成装置１が受信したメール等の情報を表示部１０１に表示するようにされている。
【００４０】
本実施形態では、画像形成装置１に新規メールが受信されると、ＤＯＣＵＭＥＮＴ  ＦＩＬＩＮＧ  モード用のアイコン１１１ａが点滅するようにされている。そして、プレビュー確認用アイコン１２０ａが選択されると、図６に示すように、例えば、販売店からの消耗品として再生消耗品を使用することを推奨する再生消耗品の使用推奨メッセージ（お知らせメール）のプレビュー画面１０１ａが表示部１０１に表示される。
【００４１】
再生消耗品の使用推奨メッセージには、動作処理を選択するアイコンが含まれている。
すなわち、図６に示すように、再生消耗品の使用推奨メッセージのプレビュー画面１０１ａの下部に、動作処理を選択する選択スイッチのサムネイルとして、「今後も再生消耗品を使用する」という再生消耗品選択アイコン１３１と、選択した結果を「確定して送信する」という確定送信アイコン１３２と、プレビュー画面１０１ａを切換える（閉じる）画面切換アイコン１３３が並んで表示される。
【００４２】
ここで、ユーザが「今後も再生消耗品を使用する」ために再生消耗品選択アイコン１３１を選択して、この選択を「確定して送信する」ために確定送信アイコン１３２を選択すると、「今後も再生消耗品を使用する」という情報が消耗品販売会社やリース会社へ通知される。
【００４３】
従って、消耗品販売会社やリース会社のユーザ管理簿には、再生消耗品を発注するユーザであることが登録されることになり、ユーザは、次回からの消耗品の発注時に、あえて再生消耗品を特定する情報を消耗品販売会社やリース会社に伝えることなく、簡便に再生消耗品の発注や入手が可能となる。
【００４４】
なお、画面切換アイコン１３３を選択すると、消耗品に係る情報の通知処理は終了して、再生消耗品の使用推奨メッセージ（お知らせメール）のプレビュー画面１０１ａから初期画面に変わる。
【００４５】
また、操作キー１１０のうちのＩＭＡＧＥ  ＳＥＮＤ  モード用のアイコン１１１ｂが選択されると、図７に示すように、ＩＭＡＧＥ  ＳＥＮＤ  モードの初期画面１１０ｂが表示される。
【００４６】
ＩＭＡＧＥ  ＳＥＮＤ  モードの初期画面１１０ｂの画面左下には、操作キーとしてのＥｃｏｖｉｅｗアイコン１２０ｂが表示される。Ｅｃｏｖｉｅｗアイコン１２０ｂをタッチすると、表示部１０１には、使用している画像形成装置１に関する情報を取得するための選択画面が表示される。画像形成装置１に関する情報には、画像形成装置１に用いられる再生消耗品の情報を含む。本実施形態において、再生消耗品は温室効果ガス排出権付き消耗品とする。
なお、ここでは、画像形成装置１に関する情報の取得については説明を省略する。
【００４７】
また、操作パネル１００は、リスト表示とサムネイル表示とを切り替えるアイコン（図示省略）と、ＩＭＡＧＥ  ＳＥＮＤ  モードの初期画面１１０ｂに戻すためのアイコン（図示省略）を備えている。
【００４８】
再生消耗品には、カーボンフットプリントラベル（カーボンフットプリントマーク）が備えられている。また、再生消耗品には、再生消耗品のライフサイクルにおける温室効果ガス排出量をＣＯ２排出量に換算した値と、その値を説明する説明文とを表示してもよい。
【００４９】
カーボンフットプリントラベルは、商品及びサービスの原材料調達から廃棄・リサイクルに至るライフサイクル全体を通しての環境負荷を定量的に算定するＬＣＡ（ライフサイクルアセスメント）手法を活用し、ライフサイクル全体における温室効果ガス排出量をＣＯ２に換算し表示するものである。
【００５０】
カーボンフットプリントラベルのマーク中に表示する重量（ｋｇ）は、例えば、消耗品であるトナーカートリッジのライフサイクル段階における原材料調達から廃棄・リサイクルまでのＣＯ２排出量換算値の合計量を示すものである。
【００５１】
ここで、トナーカートリッジのライフサイクルにおける情報とは、トナーカートリッジの原材料調達段階に始まり、生産段階、流通段階、使用・維持管理段階、廃棄・リサイクル段階の間に排出する温室効果ガスの種類と排出量の情報である。
【００５２】
温室効果ガスの種類には、京都議定書で対象となったＣＯ２、ＣＨ４、Ｎ２Ｏ、ＨＦＣｓ、ＰＦＣｓ、ＳＦ６の６種類があるが、ＣＯ２に換算した値がラベルに記録されるので、Ｅｃｏｖｉｅｗサムネイル表示にはトナーカートリッジのＣＯ２換算値が表示される。
ＣＯ２排出量は、ＬＣＡ（ライフサイクルアセスメント）手法を活用して、下記一般式（Ｉ）で算定される。
【００５３】
ＣＯ２排出量＝Σ（活動量ｉ×ＣＯ２排出原単位）・・・（Ｉ）
ｉは上述した原材料調達から廃棄・リサイクルまでの活動量（プロセス）である。
ライフサイクルの各段階と活動量（プロセス）の例とを（１）から（５）に示す。
（１）原材料調達段階の活動量は、素材使用量である。
（２）生産段階の活動量は、組立て重量および生産時の電力消費量である。
（３）流通段階の活動量は、輸送量（輸送距離と積載率とトラックの積載量との積）である。
（４）使用・維持管理段階の活動量は、使用時の電力消費量である。
（５）廃棄・リサイクル段階の活動量は、埋立重量とリサイクル重量である。
なお、ＣＯ２排出量の単位は（ｋｇ）である。
従って、ラベルには、ＣＯ２の文字とＣＯ２排出量（ｋｇ）との情報が記載される。
また、ＣＯ２排出量の単位は、（ｋｇ）以外にも（ｇ）や（ｔ）といった重量を表す単位でもよい。
【００５４】
再生消耗品は、例えばトナーカートリッジである場合、トナーカートリッジの清掃、トナー充填、キャップ装着を基本とするので、新品のトナーカートリッジに比べて、上記（１）と（２）とを大幅に削減できるので、ライフサイクルにおけるＣＯ２排出量換算値を削減することができる。従って、再生消耗品を複数のユーザに大量に使用して貰うことで、温室効果ガス削減枠に充当して温室効果ガス削減目標に近づけることが可能となる。
【００５５】
さらに、ユーザは、トナーカートリッジに表示されたカーボンフットプリントラベルやその説明文を見ることで、温室効果ガス排出の削減と地球環境保全への対応が喚起される。
【００５６】
次に、本実施形態の画像形成装置１に用いられる再生消耗品使用推奨システムを構成する画像形成装置１とデータ管理サーバ７０１との接続について説明する。
【００５７】
本実施形態において、画像形成装置１の全体制御は、図２に示すように、制御部５０１により行なわれる。また、画像形成装置１に用いられる再生消耗品の製品情報や再生消耗品の環境対応取得情報であるエコラベル情報は、データ管理サーバ７０１の図示しない記憶部（再生消耗品情報記憶手段）に記憶されている。記憶部は、ＨＤＤ装置であってもよく、Ｂｌｕ−ｒａｙ（登録商標）ディスク装置、ＲＯＭやＲＡＭ、またはＵＳＢメモリ、メモリカードのメモリであってもよい。
【００５８】
本実施形態では、画像形成装置１とデータ管理サーバ７０１とが通信手段を介して接続されている。例えば、図３に示すように、複数のユーザＡ，Ｂ，Ｃは、それぞれの端末機である画像形成装置１の通信部５０６によりＬＡＮ（ローカルエリアネットワーク）７００を介して画像形成装置や消耗品の販売店やリース会社などのデータ管理サーバ７０１に接続されたり、通信衛星７１１を利用した衛星通信インフラ７１０を介して通信接続することが可能である。
【００５９】
ＬＡＮ（ローカルエリアネットワーク）７００としては、有線の場合は、イーサネット（登録商標）IEEE規格の１０ＢＡＳＥ−Ｔ、１００ＢＡＳＥ−ＴＸ、１０ＧＢＡＳＥ−Ｔ等や、それらの光マルチモードの１０ＢＡＳＥ−Ｆ、１００ＢＡＳＥ−Ｆ、１０００ＢＡＳＥ−Ｘ、１０ＧＢＡＳＥ−Ｒ、１０ＧＢＡＳＥ−Ｗ、１０ＧＢＡＳＥ−Ｘ、無線の場合は、ＷｉＭＡＸのIEEE 802.16（ブロードバンド無線規格）、IEEE 802.16a（固定無線通信の標準規格、IEEE 802.16規格の使用周波数帯を変更したもの）、IEEE 802.16-2004（固定区間に用いられる方式、別名IEEE 802.16a/REVd）、ＷＡＮ、そして、クラウドコンピューティングサービス（専用事業者：クラウドプロバイダー）も利用できる。
【００６０】
なお、画像形成装置１とデータ管理サーバ７０１との通信接続の方式は、特に限定されず、例えば、インターネット、イントラネット、エキストラネット、ＩＳＤＮ、ＶＡＮ、ＣＡＴＶ通信網、仮想専用網（virtual private network）、電話回線網、移動体通信網等が利用可能である。
また、通信ネットワークを構成する伝送媒体としては、特に限定されず、例えば、IEEE 1394、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、802.11無線、およびＨＤＲ、携帯電話網、衛星回線、地上波デジタル網等の無線でも利用可能である。
【００６１】
次に、画像形成装置１の再生消耗品使用推奨システムによりユーザに対して画像形成装置１に使用する消耗品として再生消耗品を使用することを推奨する手順をフローチャートに沿って説明する。
図８は本実施形態の画像形成装置の再生消耗品使用推奨システムにより再生消耗品を使用することを推奨する手順を示すフローチャートである。
【００６２】
画像形成装置１の電源をＯＮにして再生消耗品使用推奨システムにより画像形成装置１に使用する消耗品を検出する制御が開始されると（ステップＳ１）、まず、画像形成装置１に用いられる消耗品の販売先のデータ管理サーバ７０１と画像形成装置１とが接続されて、通信可能であるか否かが確認される（ステップＳ２）。データ管理サーバ７０１と画像形成装置１とが通信可能であれば通信確立を認識する（ステップＳ３）。
【００６３】
次に、画像形成装置１に消耗品が装着されているか否かが判断される（ステップＳ４）。これは、画像形成装置１に設けられた検出部５０９ａにより消耗品を検出したか否かで判断される。
【００６４】
本実施形態では、消耗品には図示しないＩＣチップ（無線ＩＣタグや接点式ＣＲＵＭ）、バーコード、ＱＲコード（登録商標）等が備えられ、それらを検出部５０９ａにより検出するようになっている。
【００６５】
ステップＳ４において、画像形成装置１に消耗品が装着されていないと判断された場合は、再生消耗品使用推奨システムによる処理は終了する。
一方、ステップＳ４において、画像形成装置１に消耗品が装着されていると判断された場合は、その消耗品が再生消耗品であるか否かが判断される（ステップＳ５）。
【００６６】
詳しくは、検出部５０９ａにより検出された消耗品に備えられた記憶手段の情報は、通信部５０６に接続されたＬＡＮ７００を介してデータ管理サーバ７０１に送信される。
そして、データ管理サーバ７０１において、検出部５０９ａによる検出結果とデータ管理サーバ７０１に具備される記憶手段（再生消耗品情報記憶手段）に格納されている再生消耗品の情報とを照合して前記消耗品が再生消耗品であるか否かが判断される。
【００６７】
ステップＳ５において、データ管理サーバ７０１において消耗品の情報が照合された結果、消耗品は再生消耗品であると判断された場合は、再生消耗品使用推奨システムによる処理は終了する。
一方、ステップＳ５において、消耗品は再生消耗品ではないと判断された場合は、データ管理サーバ７０１において、再生消耗品の使用を推奨する使用推奨メッセージを図示しない記憶手段から読出し、画像形成装置１へメッセージの通知準備を行う（ステップＳ６）。
【００６８】
なお、使用中の消耗品が純正消耗品でない場合は、非純正消耗品であることを表示部１０１に表示するようにしてもよい。また、非純正消耗品であることの表示内容は、例えば、「非純正消耗品をお使いのため、本画像形成装置が正常に動作しない場合があります。」などのユーザに対する注意喚起や警告のメッセージであってよい。
【００６９】
本実施形態では、販売店側のデータ管理サーバ７０１とユーザ側の画像形成装置１とは常時ＬＡＮ７００で接続され、販売店はユーザの画像形成装置１の状態を管理できるようになっている。即ち、販売店は、画像形成装置１には現在どのような消耗品が使用されているか、消耗品の使用状況、画像形成装置１の不具合、画像形成装置１のメンテナンス時期等を監視できる。
【００７０】
そして、データ管理サーバ７０１は、ＬＡＮ７００を介して画像形成装置１の制御部５０１と通じて、画像形成装置１の稼動状況、例えば、ウォームアップ中であるか、印刷ＪＯＢを実行中であるか、操作パネルに入力信号があるか、または、スキャナからの原稿載置信号があるか否かを監視する（ステップＳ７）。
【００７１】
ステップＳ７において、画像形成装置１がウォームアップ中ではない場合、印刷ＪＯＢを実行中ではない場合、操作パネル１００に入力信号がない場合、または、スキャナからの原稿載置信号がない場合は、データ管理サーバ７０１は、画像形成装置１の操作パネル１００をユーザが操作中ではないと判断して、画像形成装置１に対して再生消耗品の使用推奨メッセージを送信する（ステップＳ８）。そして、操作パネル１００の表示部１０１に、図６に示す再生消耗品の使用推奨メッセージのプレビュー画面１０１ａを表示させる。
【００７２】
本実施形態では、図６に示すように、再生消耗品の使用推奨メッセージのプレビュー画面１０１ａ上で、選択スイッチとして機能するアイコン、すなわち、再生消耗品選択アイコン１３１、確定送信アイコン１３２、画面切換アイコン１３３を選択操作することで、「今後も再生消耗品を使用する」という指示を選択したり、選択した結果を確定してデータ管理サーバ７０１に送信したり、プレビュー画面１０１ａを切換えたりすることができる。
【００７３】
以上により、再生消耗品使用推奨システムによる再生消耗品を使用することを推奨する処理は終了する。
【００７４】
なお、データ管理サーバ７０１は、送信した再生消耗品の使用推奨メッセージを画像形成装置１の記憶部５０２へ格納した後、図５に示すように、ＤＯＣＵＭＥＮＴ  ＦＩＬＩＮＧ  モード用のアイコン１１１ａを点滅させてユーザに新着メールがあることを知らせる。そして、ユーザが、画像形成装置１の稼動状態でない時（例えば、ウォームアップ中の場合、印刷ＪＯＢ中でない場合、または操作パネルに入力信号がない場合）に、プレビュー確認用アイコン１２０ａをタッチしたときに、図６に示すように、操作パネル１００の表示部１０１に再生消耗品の使用推奨メッセージのプレビュー画面１０１ａを表示するようにしてもよい。
【００７５】
以上のように構成したので、本実施形態によれば、画像形成装置１に用いられる温室効果ガス排出権が付与された消耗品として再生消耗品を使用することを推奨する再生消耗品使用推奨システムの構成として、画像形成装置１と消耗品の販売先のデータ管理サーバ７０１とがＬＡＮ７００を介して接続して、販売先により画像形成装置１の消耗品の使用状況が監視可能に構成し、画像形成装置１に画像形成装置１に用いられる消耗品に備えられた記憶手段または記録手段に格納されている情報を検出する検出部５０９ａを備えるとともに、制御部５０１を検出部５０９ａによる検出結果をデータ管理サーバ７０１に通知する検出結果通知手段として機能するように構成し、データ管理サーバ７０１を、画像形成装置１に用いられる再生消耗品の情報を格納する再生消耗品情報記憶手段として機能し、画像形成装置１から通知された検出部５０９ａによる検出結果とデータ管理サーバ７０１に格納されている再生消耗品の情報とを照合して前記消耗品が再生消耗品であるか否かを判断する消耗品判定手段として機能するとともに、前記消耗品が再生消耗品ではないと判定された場合に、画像形成装置１に対して再生消耗品を使用することを推奨する再生消耗品の使用推奨メッセージを通知するメッセージ通知手段として機能するように構成することで、画像形成装置１の表示部１０１に再生消耗品の使用推奨メッセージのプレビュー画面１０１ａを表示することができるので、ユーザに対して地球環境に優しい再生消耗品を使用することを推奨することができる。これにより、再生消耗品の販売を促進して、消耗品のライフサイクルにおける温室効果ガス発生量を削減でき、削減した温室効果ガス量を画像形成装置メーカーまたは消耗品メーカーが温室効果ガス削減枠に充当して温室効果ガス削減目標に近づけることができる。また、ユーザに対して温室効果ガス発生量の少ない再生消耗品の使用を推奨することで、対環境意識の向上を喚起できる。さらには、純正再生消耗品の使用を促進できるので、正規の販売ルートで販売されない非純正消耗品の使用による画像形成装置の故障を抑制できる。
【００７６】
また、本実施形態では、再生消耗品の使用推奨メッセージのプレビュー画面１０１ａ上に選択スイッチとして機能するアイコン、すなわち、再生消耗品選択アイコン１３１、確定送信アイコン１３２、画面切換アイコン１３３を表示するようにしたので、それらのアイコンを選択操作することで、「今後も再生消耗品を使用する」という指示を選択したり、選択した結果を確定してデータ管理サーバ７０１に送信したり、プレビュー画面１０１ａを切換えたりすることが容易に行うことができる。
【００７７】
また、本実施形態では、消耗品にカーボンフットプリントラベル（対環境性能情報）を備えるようにしたので、対環境意識の高いユーザに対しても、地球環境への負荷を低減できる消耗品であることを知らせることができる。
【００７８】
また、消耗品の梱包材にもカーボンフットプリントラベル等の対環境性能情報を表示させてもよいし、消耗品や消耗品の梱包材に対環境性能情報の説明文を表示させてもよい。
これにより、カーボンフットプリントラベルが何を示すものであるかをよりいっそう容易に知ることができ、消耗品を梱包材から開封する前に知ることで、開封の手間なしに地球環境への負荷を低減できる消耗品であることを知らせることができる。
【００７９】
また、本実施形態では、データ管理サーバ７０１は、メーカー、販売先またはリース先等の事業部により管理されるものとしているが、例えば、画像形成装置メーカー、消耗品メーカー、クラウドコンピューティングサービスを提供するクラウドプロバイダーにより管理されるものであってもよい。
【００８０】
また、画像形成装置１の記憶部５０２や図示しないデータ管理サーバ７０１の記憶手段は、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ／Ｂｌｕ−ｒａｙ（登録商標）等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００８１】
さらに、画像形成装置１の表示部１０１の構成として、液晶ディスプレイ（Liquid  Crystal  Display）、有機ＥＬディスプレイ（Organic  Electro-Luminescence  Display）、プラズマディスプレイ（Plasma  Display  Panel）、プラズマチューブアレイディスプレイ（Plasma  Tubes  Array  Display）、電気泳動等を利用した電子ペーパーディスプレイ、電子放出素子を用いたディスプレイ（Field  Emission  Display、Surface-conduction  Electron-emitter  Display）を用いることができる。
【００８２】
なお、上述した実施形態では、本発明に係る再生消耗品使用推奨システムの構成を図１に示すような操作パネル１００を有する画像形成装置１に適用した例について説明したが、再生消耗品の使用推奨メッセージを表示可能な表示部を備える装置であれば、上述したような構成の画像形成装置や複写機に限定されるものではなく、インクジェット記録装置、または、その他の装置、例えば家電製品、民生用機器（映像・音響・通信などに関連した電子機器や装置、または端末において、一般消費者による使用・一般家庭での使用を目的としているもの、または、そのことを前提に開発・設計された製品・規格を指す）、および業務用機器（法人(企業や学校、官公庁)など、一般家庭以外の用途を前提として開発された製品）等に展開が可能である。
【００８３】
また、入力部５０５としてタッチパネルを用いたが、Ｕｂｉ−Ｆｉｎｇｅｒデバイス等を用いたジェスチャー入力装置等を用いてもよい。
【００８４】
また、本実施形態では、表示部１０１にプレビュー確認用アイコン１２０ａやＥｃｏｖｉｅｗアイコン１２０ｂを備えて、表示切換えスイッチとしているが、画面サイズが小さく、且つ操作部（メニューキー、テンキー、プリントキー等）が小さくプレビュー確認用アイコン１２０ａやＥｃｏｖｉｅｗアイコン１２０ｂが設けられない場合には、表示部１０１以外の箇所にプレビュー確認用操作キーやＥｃｏｖｉｅｗ操作キーを備えることもできる。また、本実施形態では、プレビュー確認用アイコン１２０ａやＥｃｏｖｉｅｗアイコン１２０ｂを表示部１０１の右側下部に設けているが、特に限定せず、表示部１０１においての上部、下部、左側、右側の何れの箇所に設けてもよい。
【００８５】
なお、本実施形態では、画像形成装置１と消耗品の販売先のデータ管理サーバ７０１とが通信手段を介して接続されて、データ管理サーバ７０１により画像形成装置１に使用されている消耗品が再生消耗品であるか否かを判断して、画像形成装置１に再生消耗品の使用推奨メッセージを通知するように構成しているが、本発明はこの構成に限定されるものではない。
【００８６】
（変形例１）
以下に、上述した実施形態の再生消耗品使用推奨システムの変形例１について説明する。図９は本発明の再生消耗品使用推奨システムに係る実施形態の変形例１の画像形成装置の表示部に表示された再生消耗品の使用推奨メッセージのプレビュー表示の一例を示す説明図である。
【００８７】
変形例１の再生消耗品使用推奨システムは、画像形成装置１がデータ管理サーバ７０１に接続されることなく、画像形成装置単体で再生消耗品使用推奨システムを構成することを特徴とするものである。
【００８８】
具体的には、変形例１の再生消耗品使用推奨システムは、画像形成装置１において、画像形成装置に用いられる消耗品に備えられた記憶手段または記録手段に格納されている情報を検出する検出部５０９ａ（検出手段）と、画像形成装置に用いられる再生消耗品の情報を格納する記憶部５０２（再生消耗品情報記憶手段）と、検出部５０９ａによる検出結果と記憶部５０２に格納されている再生消耗品の情報とを演算部５０３により照合演算して前記消耗品が再生消耗品であるか否かを判断する消耗品判定手段として機能するとともに、前記消耗品が再生消耗品ではないと判定された場合は、画像形成装置１の表示部１０１に再生消耗品を使用することを推奨する再生消耗品の使用推奨メッセージ（図９に示す再生消耗品の使用推奨メッセージのプレビュー画面２０１ａを参照）を表示（通知）するメッセージ通知手段として機能する制御部５０１とを備えることを特徴とするものである。
【００８９】
記憶部５０２には、画像形成装置に用いられる再生消耗品の情報に加えて、再生消耗品の使用推奨メッセージが格納されている。
制御部５０１は、前記消耗品が再生消耗品ではないと判定された場合は、記憶部５０２から再生消耗品の使用推奨メッセージを取り出して、図９に示すように、画像形成装置１の表示部１０１に再生消耗品の使用推奨メッセージのプレビュー画面２０１ａを表示するように構成されている。
演算部５０３は、検出部５０９ａにより検出された検出値（検出結果）と、記憶部５０２に格納された再生消耗品の情報とを照合演算する。
【００９０】
以上のように構成することで、記憶部５０２に再生消耗品の情報が格納されているので、上述した実施形態のように検出部５０９ａによる検出結果をデータ管理サーバ７０１に送信することなく、画像形成装置１内で検出部５０９ａによる検出結果と記憶部５０２に格納されている再生消耗品の情報とを演算照合することができる。そして、前記消耗品が再生消耗品ではないと判定された場合は、上述した実施形態のように再生消耗品の使用推奨メッセージをデータ管理サーバ７０１から通知することなく、画像形成装置１の表示部１０１に再生消耗品の使用推奨メッセージのプレビュー画面２０１ａを表示することができる。
【００９１】
なお、記憶部５０２に格納される消耗品の製品情報やエコラベル情報は、例えば、通信接続として通信部５０６におけるＬＡＮ接続によりネットワークを介してトナーカートリッジの環境エコラベル情報を持つメーカー、販売店、リース会社またはクラウドプロバイダーなどのウエブサイトにアクセスして入手することもできる。
【００９２】
また、上述した実施形態や変形例１では、再生消耗品使用推奨システムにより通知される再生消耗品の使用推奨メッセージを、画像形成装置１の表示部１０１に表示するようにしているが、本発明はこの構成に限定されるものではない。
【００９３】
（変形例２）
以下に、上述した実施形態の再生消耗品使用推奨システムの変形例２について説明する。図１０は本発明の再生消耗品使用推奨システムに係る実施形態の変形例２の構成を示す説明図である。
【００９４】
変形例２の再生消耗品使用推奨システムは、上述した実施形態の再生消耗品使用推奨システムの構成に加えて、図１０に示すように、画像形成装置１とその画像形成装置１の管理者所有の端末装置８００（例えば、パーソナルコンピュータ）とが通信接続されて、管理者所有の端末装置８００の表示部８０１に再生消耗品の使用推奨メッセージのプレビュー画面８０１ａを表示することを特徴とするものである。
【００９５】
なお、図６で説明したように、ユーザが「今後も再生消耗品を使用する」という再生消耗品選択アイコン１３１を選択して、この選択を「確定して送信」という確定送信アイコン１３２を選択すると、「今後も再生消耗品を使用する」という情報が消耗品販売会社やリース会社へ通知される。
【００９６】
従って、消耗品販売会社やリース会社のユーザ管理簿には、再生消耗品を発注するユーザであることが登録されることになり、ユーザは次回からの消耗品の発注時に、あえて再生消耗品を特定する情報を消耗品販売会社やリース会社に伝えることなく、簡便に再生消耗品の発注や入手が可能となる。
【００９７】
なお、画面切換アイコン１３３を選択すると、消耗品に係る情報の通知処理は終了して、再生消耗品の使用推奨メッセージ（お知らせメール）のプレビュー画面８０１ａから初期画面に変わる。
【００９８】
この再生消耗品使用推奨システムは、データ管理サーバ７０１から通知される再生消耗品の使用推奨メッセージを画像形成装置１の制御部５０１が検出すると、管理者所有の端末装置８００へ転送するように構成されている。
【００９９】
以上のように構成することで、他のユーザによる画像形成装置１の使用状況に影響されることなく、管理者は、自分が管理している端末装置８００により再生消耗品の使用推奨メッセージを知ることができる。
【０１００】
なお、本実施例の画像形成装置１とＬＡＮ７００を介して画像形成装置１を操作できる管理者所有の端末装置８００は、上述したパーソナルコンピュータや携帯情報端末、または液晶ディスプレイ（Liquid  Crystal  Display）、有機ＥＬディスプレイ（Organic  Electro-Luminescence  Display）、プラズマディスプレイ（Plasma  Display  Panel）、プラズマチューブアレイディスプレイ（Plasma  Tubes  Array  Display）、電気泳動等を利用した電子ペーパーディスプレイ、電子放出素子を用いたディスプレイ（Field  Emission  Display、Surface-conduction  Electron-emitter  Display）等のディスプレイを備えた電子機器も利用可能である。
【０１０１】
以上のように、本発明は、上述した実施形態に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【符号の説明】
【０１０２】
１  画像形成装置
１００  操作パネル
１０１  表示部
１０１ａ，２０１ａ，８０１ａ  プレビュー画面
１１０  操作キー
１１０ａ  ＤＯＣＵＭＥＮＴ  ＦＩＬＩＮＧ  モードの初期画面
１１０ｂ  ＩＭＡＧＥ  ＳＥＮＤ  モードの初期画面
１２０ａ  プレビュー確認用アイコン
１２０ｂ  Ｅｃｏｖｉｅｗアイコン
１３１  再生消耗品選択アイコン
１３２  確定送信アイコン
１３３  画面切換アイコン
５０１  制御部（検出結果通知手段）
５０２  記憶部
５０３  演算部
５０５  入力部
５０６  通信部
５０９ａ  検出部（検出手段）
７００  ＬＡＮ（ローカルエリアネットワーク）
７０１  データ管理サーバ（再生消耗品情報記憶手段、
消耗品判定手段、メッセージ通知手段）
７１０  衛星通信インフラ
８００  端末装置
８０１  表示部
【図１】
0005843984.tif 000002
【図２】
0005843984.tif 000003
【図３】
0005843984.tif 000004
【図４】
0005843984.tif 000005
【図５】
0005843984.tif 000006
【図６】
0005843984.tif 000007
【図７】
0005843984.tif 000008
【図８】
0005843984.tif 000009
【図９】
0005843984.tif 000010
【図１０】
0005843984.tif 000011